Podtech/llm-jp-corpus-v4-ja_patent huggingface dataset:
(57)【要約】      （修正有）【課題】ペットの糞を不快感なく容易に収集するペット用糞採集器を提供する。【解決手段】本ペット用糞採集器は、リング状の枠２に取手部３を取り付け、このリング状の枠と取手部３の結合部に汚物採集用袋５を止めるクリップ４を設けたことを特徴とするものである。また、前記リング状の枠２の先端部２ａが尖鋭な形状を有している。リング状の枠２、取手部３、クリップ４の材質は木製、樹脂製、あるいは金属製でもよい。さらに、前記取手部に、砂排出口７を有する砂収納部６を設けてもよい。【選択図】図２
0003105847.tif 000002
【実用新案登録請求の範囲】
【請求項１】
リング状の枠に取手部を取り付け、このリング状の枠と取手部の結合部に汚物採集用袋を止めるクリップを設けたことを特徴とするペット用糞採集器。
【請求項２】
前記リング状の枠の先端部が尖鋭な形状を有していることを特徴とする請求項１に記載のペット用糞採集器。
【請求項３】
前記取手部の内部に、排出口を有する砂収納部を設けたことを特徴とする請求項１に記載のペット用糞採集器。
【考案の詳細な説明】
【技術分野】
【０００１】
本考案は、犬などのペットの糞採集器に関する。
【背景技術】
【０００２】
ペットの散歩中に糞を持ち帰るのは基本的マナーであり、裏返しにしたビニール袋を用いて手掴みにより回収する、或いはバネ効果のあるアームにより掴みあげて回収するのが一般的な手段であった。このようなバネ効果のあるアームは、例えば以下の文献に記載されている。
【特許文献１】実開平４−４５９９３号公報
【考案の開示】
【考案が解決しようとする課題】
【０００３】
しかしながら、糞を掴む感触は非常に不愉快であり、バネ効果のあるアームでは掴み上げビニール袋に入れるまでに悪臭が拡散してしまう問題があった。また、ペットの体調により糞がゆるい場合、バネ効果のあるアームでの回収は困難であった。よって本考案では上記の問題点を解決し、ペットの糞を不快感なく容易に収集することを課題とする。
【課題を解決するための手段】
【０００４】
本考案のペット用糞採集器は、リング状の枠に取手部を取り付け、このリング状の枠と取手部の結合部に汚物採集用袋を止めるクリップを設けたことを特徴とするものである。また、前記リング状の枠の先端が尖鋭な形状を有していることを特徴とするものである。さらに、前記取手部に、排出口を有する砂収納部を設けたことを特徴とするものである。
【考案の効果】
【０００５】
本考案のペット用糞採集器によれば、枠にビニール袋を被せクリップで固定し糞を採集するため、手や器具を汚すことなく、また糞を掴む感触なく採集することができる。
【０００６】
また、糞がゆるい場合は取手部に収納された砂を糞にかけることにより糞の流動性を抑え、従来方式では採集に困難であったゆるい糞も容易に採集することができる。
さらに、掴み上げてからビニール袋に採集する従来方式と比べ、本考案によれば素早く袋に収集することができ悪臭の拡散を減少させることができる。
【０００７】
特に、本考案のペット用糞採集器は、犬の糞の採集用に適しており、犬の散歩時に、飼い主がこれを洒落たポシェットや小さなリュックに入れて持ち運び、適宜使用することで愛犬家のマナー向上に資することができるものである。
【考案を実施するための最良の形態】
【０００８】
以下、本考案の実施形態に係るペット用糞採集器について図面を参照しながら詳述する。
【０００９】
図１の斜視図に示す本考案のペット用糞採集器１は、リング状の枠２と、取手部３が結合しており、この結合部の枠２の面に汚物採集用袋５をクリップ止めするクリップ４が取り付けられている。リング状の枠２の先端部２ａは尖鋭な形状を有している。リング状の枠２、取手部３、クリップ４の材質は木製、樹脂製、あるいは金属製でもよい。
【００１０】
また、図２の斜視図に示すようにペット用糞採集器１は、リング状の枠２に汚物採集用袋５を被せクリップ４で固定した状態で使用する。
【００１１】
地面に落ちた糞１０を拾う際には、図３の使用例に示すように、リング状の枠２の尖鋭な形状を有した先端部２ａを利用しすくい上げる。ここで、汚物採集用袋５をリング状の枠２に巻き付けるようにしてぴったりと被せることで、尖鋭な形状を有した先端部２ａが利用しやすくなり、糞１０をすくい上げ易い。
【００１２】
地面がやわらかいときはリング状の枠２の先端部２ａを利用して糞１０の下の地面を多少削り取るようにしてもよい。すくい上げた糞１０はリング状の枠２の開口部２ｂから汚物採集用袋５内に入るため、ペット用糞採集器１においてクリップ４を有す面の裏面から汚物採集用袋５を裏返しクリップ４から外すことにより糞１０を採集することができる。
【００１３】
また、犬等のペットが用便中の場合は図４の使用例に示すようにリング状の枠２を糞の下に近づける。糞が開口部２ｂから汚物採集用袋５内に入ったら、上述の方法と同様に糞を収集する。
【００１４】
また、図５の斜視図に示すように、リング状の枠２に円筒状の取手部３ａを取り付け、この取手部３ａの内部に砂収納部６を設けるとよい。図６の斜視図に示すように、砂収納部を有する取手部３aの端部には複数の砂排出口７を有する内蓋が設けられ、この内蓋には開閉可能な外蓋８が取り付けられている。そして、地面に落ちた糞がゆるい場合には、砂収納部６の外蓋８をはずし、砂排出口７から砂を排出して、糞に振りかけることにより、糞の流動性を抑え、リング状の枠２ですくい上げ易くすることができる。
【００１５】
なお、外蓋を内蓋に回転自在に嵌合させ、外蓋にも、内蓋７に設けられた砂排出口７に対応させて複数の砂排出口を設け、外蓋を回転することで、砂排出口７を開閉するようにしてもよい。
【図面の簡単な説明】
【００１６】
【図１】本考案の実施形態に係るペット用糞採集器を示す斜視図である。
【図２】本考案の実施形態に係るペット用糞採集器に汚物採集用袋を取り付けた状態を示す斜視図である。
【図３】本考案の実施形態に係るペット用糞採集器の使用例を示す図である。
【図４】本考案の実施形態に係るペット用糞採集器のペットの用便中の使用例を示す図である。
【図５】本考案の実施形態に係る砂収納部を有したペット用糞採集器を示す斜視図である。
【図６】本考案の実施形態に係るペット用糞採集器の砂収納部を示す斜視図である。
【符号の説明】
【００１７】
１  ペット用糞採集器            ２  リング状の枠
２ａ  先端部                      ３  取手部
３ａ  砂収納部を有する取手部      ４  クリップ
５  汚物採集用の袋              ６  砂収納部
７  砂排出口                    ８  蓋
【図１】
0003105847.tif 000003
【図２】
0003105847.tif 000004
【図３】
0003105847.tif 000005
【図４】
0003105847.tif 000006
【図５】
0003105847.tif 000007
【図６】
0003105847.tif 000008
(57)【要約】【課題】  吹き付け塗装によって石垣様の模様などを形成する。【解決手段】  上下左右に連続する目地模様を形成するためのものであって、各辺縁部に連続用終端部が複数個、かつ互いに等しい個数形成されており、各辺縁における連続用終端部どうしの間隔が互いに等しく設定されているとともに、各辺縁における連続用終端部の外側の空間の幅が前記間隔の１／２に設定されており、しかも、１の隣り合う一対の連続用終端部により連続部が規定される空間の形状が、他の隣り合う一対の連続用終端部により連続部が規定される空間の形状と異なる形状である。【選択図】  図１
0003105899.tif 000002
【実用新案登録請求の範囲】
【請求項１】
上下左右に連続する目地模様を形成するための目地模様形成用型材であって、各辺縁部に連続用終端部が複数個、かつ互いに等しい個数形成されており、各辺縁における連続用終端部どうしの間隔が互いに等しく設定されているとともに、各辺縁における連続用終端部の外側の空間の幅が前記間隔の１／２に設定されており、しかも、１の隣り合う１対の連続用終端部により連続部が規定される空間の形状が、他の隣り合う１対の連続用終端部により連続部が規定される空間の形状と異なる形状であることを特徴とする目地模様形成用型材。
【考案の詳細な説明】
【技術分野】
【０００１】
本考案は、吹き付け塗装によって石垣様の模様などを形成するために使用される目地模様形成用型材に関する。
【背景技術】
【０００２】
従来から、吹き付け塗装によってタイル模様を形成するために使用される型枠が提案されている（特許文献１参照）。
【特許文献１】実用新案登録第３０６１４５２号公報
【考案の開示】
【考案が解決しようとする課題】
【０００３】
特許文献１に記載された型枠を用いる場合には、長方形のタイルが横向きに配列された状態、または長方形のタイルが縦向きに配列された状態のタイル模様を形成することができるだけである。
【０００４】
したがって、吹き付け塗装によって石垣様の模様などを形成することはできない。
本考案は、上記の問題点に鑑みてなされたものであり、吹き付け塗装によって石垣様の模様などを形成することができる目地模様形成用型材を提供することを目的としている。
【課題を解決するための手段】
【０００５】
本考案の目地模様形成用型材は、上下左右に連続する目地模様を形成するためのものであって、各辺縁部に連続用終端部が複数個、かつ互いに等しい個数形成されており、各辺縁における連続用終端部どうしの間隔が互いに等しく設定されているとともに、各辺縁における連続用終端部の外側の空間の幅が前記間隔の１／２に設定されており、しかも、１の隣り合う一対の連続用終端部により連続部が規定される空間の形状が、他の隣り合う一対の連続用終端部により連続部が規定される空間の形状と異なる形状であることを特徴とするものである。
【０００６】
この場合には、目地模様形成用型材を連続させて配置するに当たって、目地模様形成用型材の向きを自由に設定することができ、向きの設定によって、異なる形状の模様を形成することができ、吹き付け塗装によって石垣様の模様などを簡単に形成することができる。
【考案の効果】
【０００７】
本考案は、目地模様形成用型材を自由に設定した状態で吹き付け塗装を行うことによって石垣様の模様などを簡単に形成することができるという実用的効果を奏する。
【考案を実施するための最良の形態】
【０００８】
図１は本考案の目地模様形成用型材の一実施形態を示す正面図である。
この目地模様形成用型材は、全体が正方形の領域内に収まるものであって、各辺縁に対応して３つの連続用終端部を有している。そして、全ての辺縁の隣り合う一対の連続用終端部どうしの間隔が互いに等しく設定されている。また、端部の連続用終端部と正方形領域の端部との間の空間の幅が前記間隔の１／２に設定されている。さらに、全ての辺縁の隣り合う一対の連続用終端部どうしの空間を開口縁とする空間の形状は、互いに異なる形状に設定されている。
【０００９】
なお、残余の領域には、所望の形状の空間が形成されていることが好ましい。
【００１０】
図２から図５は、それぞれ目地模様形成用型材どうしの左右への連続配置の例を示す図である。
【００１１】
図２から図５を参照することにより容易に理解できるように、目地模様形成用型材どうしの向きを変えて連続配置することによって、異なる模様を形成することができる。
また、特には図示していないが、目地模様形成用型材どうしの向きを変えて上下への連続配置を行うことによって、この方向にも異なる模様を形成することができる。
したがって、隣り合う一対の連続用終端部どうしの空間を開口縁とする空間の形状を自然石に類似する形状にすれば、吹き付け塗装を行うことによって石垣様の模様を形成することができる。
【図面の簡単な説明】
【００１２】
【図１】本考案の目地模様形成用型材の一実施形態を示す正面図である。
【図２】目地模様形成用型材どうしの左右への連続配置の一例を示す図である。
【図３】目地模様形成用型材どうしの左右への連続配置の他の例を示す図である。
【図４】目地模様形成用型材どうしの左右への連続配置のさらに他の例を示す図である。
【図５】目地模様形成用型材どうしの左右への連続配置のさらに他の例を示す図である。
【図１】
0003105899.tif 000003
【図２】
0003105899.tif 000004
【図３】
0003105899.tif 000005
【図４】
0003105899.tif 000006
【図５】
0003105899.tif 000007
(57)【要約】      （修正有）【課題】杖、傘の置き場所に関して、簡単に且つ安全に使用することが出来る板ステンレスマルチフックハンガーの提供。【解決手段】板ステンレスマルチフックハンガーは、板ステンレス一枚ものをクリップ型に折り曲げ、ステンレスばねの形状を有することを特徴とする。【選択図】図１
0003105816.tif 000002
【実用新案登録請求の範囲】
【請求項１】
板ステンレス一枚物を折り曲げ、ステンレスバネの戻る力によって、物を固定する器具、板ステンレスマルチフックハンガー
【考案の詳細な説明】
【考案の詳細な説明】
【考案に属する技術分野】
【０００１】本考案は、杖、傘の置き場所等に関する板ステンレスマルチフックハンガーに関するものである
【背景技術】
【０００２】丸ゴム、平ゴム等による挟め、抑えを使用しています。
【考案が解決しようとする課題】
【０００３】板ステンレスマルチフックハンガーは、体の不自由な方、お年寄りの方が、お使いの杖（ステッキ）、又は、雨降り等の傘の置き場等に大変便利で、多様の用途によって、使用することが出来ます。
【課題を解決するための手段】
【０００４】本考案は、板ステンレスマルチフックハンガーを設置することによって、トイレ洗面所、バス、電車等の多種の場所において、体の不自由なお年寄りの方にも、簡単に杖、傘等を装着することが出来ます。又、一般の方にも社会的マナーを守るためのこれからの装着器具と思います。
【考案を実施するための最良の形態】
【０００５】板ステンレスマルチフックハンガーをそれぞれの場所に設置することによって、体の不自由な方も、杖等の保管等に安心して、生活を行うことが出来ます。
【実施例】
【０００６】以下、添付図面に従って、一実施例を説明する。図面１は、板ステンレスマルチフックハンガーを全体図、側面図、上面図を示したものです。
【考案の効果】
上述の様に、本考案の板ステンレスマルチフックハンガーは、体の不自由な方、又、老人の方にも杖、傘、使用時の際にトイレ、洗面所、バス、電車、車等の傘、杖の置き場所に装着が板ステンレスマルチフックハンガーを使用することによって、簡単に装着が出来ます。
【図面の簡単な説明】
【０００７】
【図１】本考案の板スプリングマルチフックハンガーを示した、全体図、側面図、上面図である。
【符号の説明】
【０００８】２  全体図
３  側面図
４  上面図
【図１】
0003105816.tif 000003
【手続補正書】
【提出日】平成16年4月16日(2004.4.16)
【手続補正１】
【補正対象書類名】実用新案登録請求の範囲
【補正対象項目名】全文
【補正方法】変更
【補正の内容】
【実用新案登録請求の範囲】
【請求項１】
板ステンレスマルチフックハンガーは、板ステンレス一枚物をクリップ形に折り曲げ、ステンレスばねの戻る力によって、杖、ステッキ、傘等を乗り物、公衆トイレ、公共施設等において、杖、ステッキ、傘等を置く場所の器具として、板ステンレスマルチフックハンガーは、簡単に両面テープ又は、木ねじにより、個々の場所へ設置できる器具です。このような器具が、そうような場所に、簡単に又、安全に、杖、ステッキ、傘等を一時的に置ける場所の器具として利用されることは、体の不自由な方、特に、杖、ステッキ等を使用する方、又、一般の人が傘を使用する時に、ユニバーサルデザインとして、採用される器具です。
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
板ステンレスマルチフックハンガーは、板ステンレス一枚ものをクリップ型に折り曲げ、（図１）ステンレスばねの形状を有する板ステンレスマルチフックハンガー。杖、ステッキ、傘等を乗り物、公衆トイレ、公共施設等において、杖、ステッキ、傘等を保管する場所の器具として、使用する板ステンレスマルチフックハンガーは、両面テープ、木ねじ等により、個々の場所へ設置出来る器具です。以上の構成から、なる事を特徴とする板ステンレスマルチフックハンガー。
(57)【要約】［課題］台所などの流し台で水仕事をする時、エプロンをしなくても水はねが防げて、エプロン着用の嫌いな男性も気軽に台所流し台での水仕事に参加できるようにした。［解決手段］流し台の手前位置に、水をはじく板を、流し台の高さより上に垂直、または流し台前方に傾斜して立ち上がるように装着して、水仕事時の水はねで衣服が濡れるのを防げるようにした。また、清掃の時や、これを使用したくない時に取り外しができる着脱可能なものとした。【選択図】      ［図３］
0003105815.tif 000002
【実用新案登録請求の範囲】
【請求項１】
流し台の手前位置に水をはじく材質の板を流し台の高さより上に、垂直または流し台前方に傾斜して、立ち上がるように装着できるようにしたもの。この板は平らなものだけではなくカーブしたものや折れ目の付いたものを含む。
【請求項２】
清掃の時や、水はね防止板を使用したくない時に取り外しができるように、着脱自在で、かつ垂直に、あるいは流し台前方に傾斜して立ち上がるように、直方体あるいは三角柱形のマグネットをこの水はね防止板の底辺か、流し台に取り付けたもの。
【請求項３】
水はね防止板を差込式で着脱自在にするために、流し台のほうに水はね防止板差込受けを取り付けること。
【考案の詳細な説明】
【技術分野】
【０００１】本考案は台所等の流し台上で水仕事をするときに生じる水はねを防止するために、流し台の手前位置に、水仕事の邪魔にならない大きさの、水をはじく材質の板を、流し台の高さより上に、垂直、または流し台前方に傾斜して立ち上がるように装着して、エプロンをしなくても衣服が濡れないようにしたものである。これは流し台に固定してもよいが、清掃の時や、これを使用したくない時に取り外しが可能なように着脱のできるものとする。
［背景技術］【０００２】従来は流し台の高さは調理台の高さと統一されていて、流し台の高さより上に立ち上がって流し台手前に設置する着脱可能な水はね防止板はなかった。
［考案の開示］
［考案が解決しようとする課題］【０００３】台所などの流し台で水仕事をする時の水はねは、防ぎようがなく、従来はエプロンを着用することで衣服の濡れを少なくする努力がなされてきたが、エプロンの装着では、エプロンのみならず服まで濡れたり、またエプロンの着脱、エプロンの洗濯も面倒なものである。流し台水はね防止板はその負担をなくし、エプロンを身に着けるのに抵抗のある男性の台所仕事への参加意欲を高めるのにも役立とうとするものであるが、清掃の時やこれを使用したくない時に取り外しが可能なものとする。
［課題を解決するための手段］【０００４】水仕事などの作業の邪魔にならない程度の大きさの、水をはじくことが可能なプラスチックやステンレス等で出来ている板を用意して、流し台手前上部に立ち上がって接続させるものを考案した。それは固定式であってもよいが、清掃の時や、これを使用したくない時に取り外しが可能なように、着脱自在なものにするためにその底辺にあるいは流し台にマグネット板を付着させる方法や、、差込形式の方法をとる。この水はね防止板は垂直に立ち上がるものでもよいが、流し台前方に傾斜したほうが水仕事の妨げになりにくいので、垂直に立ち上げる時は直方体の、流し台前方に傾斜させて立ち上げる時は三角柱形のマグネット等をこの板の底辺部分あるいは流し台に取り付けて、流し台と接続させることによって板を垂直にあるいは傾斜させて立ちあげる。また、この板そのものを傾斜して成型したものを差込式で使う方法もあり、この場合は流し台のほうに水はね防止板差込受けを取り付ける。さらに板の上部に、流し台内側に向けて少しカーブや折れ目を付けて水はねをもっと効果的に防止することもできる。
［考案の効果］【０００５】流し台で水仕事をしても、この流し台水はね防止板を取り付けることで、エプロンをしなくても衣服が濡れることがなく、エプロン着脱のわずらわしさや、エプロンがビショビショになって衣服まで濡れてしまうことから開放される。また、エプロンの嫌いな男性も気軽に流し台に立てる。
【図面の簡単な説明】
【０００６】
【図１】本考案の正面図である。（１）は水はね防止板本体の底辺に三角柱形のマグネット等を付着させたものの例。（２）は水はね防止板本体を傾斜させて成形したものの例である。
【図２】本考案の側面図である。（１）は水はね防止板本体の底辺に三角柱形のマグネット等を付着させたものの例。（２）は水はね防止板本体を傾斜させて成形したものの例である。この場合は流し台に取り付ける時は差込形式のほうが安定が良い。
【図３】本考案の使用状態例を示す見取り図である。（１）は水はね防止板本体の底辺に三角柱形のマグネット等を付着させて、本体を流し台前面に向けて傾斜して立ち上げたもの（２）水はね防止板本体を傾斜させて成形したものを流し台に差込形式で装置したものである。
【符号の説明】
【０００７】１水はね防止板本体
２本体を流し台に装着するための接続面、もしくは接続体（三角柱形状のマグネット板等）
３流し台
４調理台
５蛇口
６本体差込受け
【図１】
0003105815.tif 000003
【図２】
0003105815.tif 000004
【図３】
0003105815.tif 000005
【手続補正書】
【提出日】平成16年4月2日(2004.4.2)
【手続補正１】
【補正対象書類名】実用新案登録請求の範囲
【補正対象項目名】実用新案登録請求の範囲の全文
【補正方法】変更
【補正の内容】
【実用新案登録請求の範囲】
【請求項１】
適当な大きさの水をはじく材質の板を、流し台の高さより上に、９０度以下の角度に傾斜して立ち上がった状態で流し台に装着できるようにした流し台水はね防止板
【手続補正書】
【提出日】平成16年7月16日(2004.7.16)
【手続補正１】
【補正対象書類名】実用新案登録請求の範囲
【補正対象項目名】全文
【補正方法】変更
【補正の内容】
【実用新案登録請求の範囲】
【請求項１】
たて５ｃｍ〜３０ｃｍ、横２０ｃｍ〜６０ｃｍの範囲の長方形の薄い板の長いほうの辺を下にしてその辺に沿って板の端部分に四角柱、または三角柱のマグネットを接着剤で貼りつけ、当該板を流し台の前面に着脱可能になるようにした、流し台水はね防止板。
(57)【要約】      （修正有）【課題】通常Ｔシャツ教材を製作する時は、「縫い」と「裁断」の技術を学ぶ事が主な目的である為、生徒個々人が個性を出す事は難しかった。したがって、本考案はこうした生徒個々人の個性を活かし、生徒がさらに実習に興味や楽しさを持てるようにした。【解決手段】本考案は生徒が一人一人、自分の考えでＴシャツをアレンジできるようにスパンコール（付属品）をまとめて添付し、生徒個々人が好みに合わせて、スパンコールを取捨選択しアレンジする事ができる。【選択図】図２
0003105813.tif 000002
【実用新案登録請求の範囲】
【請求項１】
学校の家庭科で被服製作の実習をする際の教材
【考案の詳細な説明】
【考案の詳細な説明】
【技術分野】
【０００１】学校の家庭科で被服製作の実習をする際に使用する教材に関する技術分野
【背景技術】
【０００２】通常Ｔシャツ教材を製作する時は、「縫い」と「裁断」の技術を学ぶ事が主な目的である為、生徒個々人が個性を出す事は難しかった。
【考案が解決しようとする課題】
【０００３】したがって、本考案はこうした生徒個々人の個性を活かし、生徒がさらに実習に興味や楽しさを持てるようにした。
【課題を解決する手段】
【０００４】そこで、本考案は生徒が一人一人、自分の考えでＴシャツをアレンジできるようにスパンコール（付属品）をまとめて添付し、生徒個々人が好みに合わせて、スパンコールを取捨選択しアレンジする事ができる。
【考案を実施するための最良の形態】
【０００５】本案は、以上のような考え方のもと、生徒がＴシャツ教材を実習する際に、生徒一人一人が好みに合わせて、スパンコールを使用してＴシャツをアレンジできる実習教材である。
【考案の効果】
【０００６】この考案により、従来単調であったＴシャツ製作実習が、生徒一人一人が自分の好みやイメージ合ったＴシャツにアレンジする事ができる。したがって、生徒の興味や楽しさがこの教材を使う事でさらに増大する。
【図面の簡単な説明】
【図１】従来のＴシャツの完成図
【図２】本考案のＴシャツの完成図
【図１】
0003105813.tif 000003
【図２】
0003105813.tif 000004
【手続補正書】
【提出日】平成16年3月19日(2004.3.19)
【手続補正１】
【補正対象書類名】実用新案登録請求の範囲
【補正対象項目名】全文
【補正方法】変更
【補正の内容】
【実用新案登録請求の範囲】
【請求項１】
Ｔシャツとスパンコール（付属材料）を組みあわせたキット教材
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
Ｔシャツと付属材料としてのスパンコールを組みあわせたキット教材
(57)【要約】【課題】一般の結束ヒモは正確に結ばないとほどけたりすることはあったりユルミがない様に結ぶことも以外と難しいものであった。【解決手段】くるくる結束機を使用することにより新聞紙、雑誌、ダンボール等あらゆるものを結束ヒモを一回りし両端１５ｃｍ位のところを持ち持ったところから３ｃｍ位いのところをフックをかけヒモを折り返してフックを回していくと３本のヒモがねじれて固くしまりやがてねじれがからみあって一つのかたまりとなり固い結束ができる。【選択図】図１
0003105819.tif 000002
【実用新案登録請求の範囲】
新聞紙や雑誌等をヒモで結束する場合結ぶ必要がなくヒモの両端を一緒にフックにかけ、フックを回転させることによりヒモがねじれて固くしまり最後はヒモの復原力とねじれ現象の相乗効果で固い結束ができる結束機
本考察のポイントはヒモにフックをかける位置が重要であり短かすぎると完全な結束ができず長すぎると結束に時間がかかるため１２Ｃｃｍ前後の長さがよい。又ヒモをねじる場所は上の方でなる角に近い横で行うと良い。
【考案の詳細な説明】
【考案の詳細な説明】
【技術分野】
【０００１】この考案は新聞紙や雑誌等あらゆる物を一瞬のうちに固く結束できる結束機である。
【背景技術】
【０００２】従来からＰＰ専用の結束部材はあるが一般の結束用ヒモでないため実際に家庭などで新聞紙や雑誌等に用いられることはなかった。
【考案が解決しようとする課題】
【０００３】普通の家庭では一般の結束ヒモで十文字に結んでいますがヒモがゆるんだりしてきちっと結ぶことは以外と難しくいやな仕事であった。
【課題を解決するための手段】
【０００４】（イ）先ずきつくしめることを考えた時、人力できつくしめるにはテコの原理を応用してヒモをねっじていくことが一番力もいらず固くしまると思い実験してみると想像以上に固くしまることがわかった。
（ロ）ねじって固くしまったあとねじれをどのようにして止めるか数ヶ月試行錯誤した結果ヒモをねじる場所とフックをかけるヒモの長さの位置によって１００％結束がとけないことがわかった。
【考案を実施するための最良の形態】
【０００５】魚の形をした柄の先端に回転するフックを取り付けたものである
【実施例】
【０００６】（イ）図３は結束する物にヒモを一回りさせヒモの端を１５ｃｍ位い出して反対側のヒモも１５ｃｍ位いのところを一緒に持ち３ｃｍ位いの先をフックにかけた図
（ロ）図４はフックをかけたあと手に持ったヒモを折返し上、下のヒモの間に入れフックを３、４回まわす。
（ハ）図５は余ったヒモを手に持ったまま前方にのばしかるく張りながらフックをまわし３本のヒモをねじっていく。
（ニ）フックをくるくるまわしていくと図６の様にヒモがねじれていく。
（ホ）更にフックをまわしていくとヒモのねじれが一つにかたまりになっていく。図７
（ヘ）完全にかたまりができた時点でフックをヒモから外し余ったヒモをカットする。図８
【考案の効果】
【０００７】（イ）新聞紙、雑誌、ダンボール、枝木等なんでも軽くひっぱりながらくるくる回すだけで固い結束ができる。
（ロ）固い結束なので新聞紙、雑誌等十文字に結ばなくてもヒモは一回りで十分固くしまりゆるんだりしないのでヒモが半分ですみ資源の節約になる。
（ハ）お年寄りや子供でもらくらく結束ができる。
（ニ）半身不随の方でも片手だけで十分結束できる（片手の場合はセロテープが必要）
【図面の簡単な説明】
【図１】本考案の斜視図である
【図２】正面図である
0003105819.tif 000003
【符号の説明】
１．柄、２．フック
【図１】
0003105819.tif 000004
【図２】
0003105819.tif 000005
【図３】
0003105819.tif 000006
【図４】
0003105819.tif 000007
【図５】
0003105819.tif 000008
【図６】
0003105819.tif 000009
【図７】
0003105819.tif 000010
【図８】
0003105819.tif 000011
【手続補正書】
【提出日】平成16年7月5日(2004.7.5)
【手続補正１】
【補正対象書類名】実用新案登録請求の範囲
【補正対象項目名】全文
【補正方法】変更
【補正の内容】
【実用新案登録請求の範囲】
【請求項１】
魚の形状をした柄の先端に回転するフックを取り付け、結束するヒモにフックをかけくるくる回すことによりヒモがねじれて固くしまる事を特徴とするくるくる結束機。
(57)【要約】      （修正有）【課題】食器を衛生的に洗うために摩擦力が大で楽に洗えて、使用後の乾燥も良い食器洗いを提供する。【解決手段】ポリエステル等の硬い化学繊維の細糸を網目に織り必要なだけ布を切って食器をこすり洗う、使用後は流しにひっかけておけばすぐ乾く、次に使う時は細菌の付着もなく安心である。【選択図】なし【実用新案登録請求の範囲】
【請求項１】
家庭で食器洗う時よくよごれを落す、使用後完全に乾き衛生的
【考案の詳細な説明】
【考案の詳細な説明】
〔考案の属する技術分野〕
【００１】食器洗い布として巾２０ｃｍから３０ｃｍに織り上げたポリエステル系の硬い材料の糸を使用する洗剤をつけ摩擦力が大で楽に洗える  使用後乾燥良く衛生的安心して次回使える〔従来の技術〕
【００２】台所で各家庭はスポンジを使い食器洗うが使用後乾燥悪く不潔、不衛生になり細菌も付着する〔考案が解決しようとする課題〕
【００３】スポンジを使うより安値で  清潔健康的〔課題を解決するための手段〕
【００４】少し硬い目の化学繊維の糸を細巾に織り使いやすいように細芯棒に巻き紙箱に納め  サランラップの様に細長い箱に納め  箱刃で切って小出しして使う〔考案の実施の形態〕
【００５】化学繊維ポリエステル系を使い細巾に小巾に織り巻いて小箱に納め少しづゝ切り  食器洗いとして使う、摩擦力大で又乾燥も早い  安値
【００６】非常に衛生的
【図面の簡単な説明】網目織りの一例  製品を小箱から出すところ
【図１】
0003105812.tif 000002
【図２】
0003105812.tif 000003
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
ポリエステル系の化学繊維糸を網目に織り上げた布を心棒に巻いて箱に納めたことを特徴とする衛生食器洗。
【手続補正２】
【補正対象書類名】明細書
【補正対象項目名】全文
【補正方法】変更
【補正の内容】
【考案の詳細な説明】
【技術分野】
【０００１】この考案は衛生食器洗すなわち衛生的な食器洗具に関する。
【背景技術】
【０００２】従来、各家庭では食器洗としてスポンジを使うのが一般的である。
【考案が解決しようとする課題】
【０００３】スポンジは使用後乾燥が悪く、水を含んだままの状態では細菌の温床となるなど不潔、非衛生的である。
【課題を解決するための手段】
【０００４】この考案の衛生食器洗は、ポリエステル系の化学繊維糸を網目に織り上げた布を芯棒に巻いて箱に納めたことを特徴とするものである。硬いポリエステル系の糸を網目に織る事により水切れが良く乾燥が早い。また、洗剤をつけても摩擦力が大で楽に洗える。使用後は乾燥が早く衛生的で、安心して次回使える。
【考案を実施するための最良の形態】
【０００５】図１に示すように、ポリエステル系の少し硬い目の化学繊維の糸を巾２０ｃｍから３０ｃｍに細巾に織り上げる。織り上げた布を細い心棒に巻き、図２に示すように、サランラップ（登録商標）の様に箱に収め、箱刃で切って小出しして使う。【０００６】この考案の衛生食器洗は、食器洗が摩擦力大で効率的であるばかりでなく水切れが良く衛生的である。
【図面の簡単な説明】
【０００７】
【図１】網目に織り上げた布を例示する平面図
【図２】布を箱から繰り出した状態を示す斜視図
(57)【要約】      （修正有）【課題】ペット（主に猫）のトイレ掃除の際、袋を固定して、糞尿を回収しやすくするとともに、掃除用スコップの収納を容易にするペットの糞尿ケースを提供する。【解決手段】ホルダー２を介した袋１をケース本体３にセットする。また、掃除用スコップの収納部上段を開閉式とする。【選択図】図１
0003105818.tif 000002
【実用新案登録請求の範囲】
【請求項１】
ホルダーを介した袋を固定することで、糞尿の処理が容易になるケース。
【請求項２】
さらに、掃除用スコップを収納しやすくした請求項１記載のケース。
【考案の詳細な説明】
【考案の詳細な説明】
【考案が解決しようとする課題】
【０００１】  従来、ペット（主に猫）のトイレを掃除する際、袋を固定できないため、砂や糞尿がこぼれ落ちることや袋の持ち手に触れるなどして不衛生であった。
【課題を解決するための手段】
【０００２】  上記目的を達成するために、ホルダー２を介した袋１をケース本体３にセットする。また、掃除用スコップ４の収納部上段を開閉式にする。
【考案の効果】
【０００３】  ホルダーを介することで、袋の持ち手に糞尿や砂が触れることがなくなる。また、収納部上段の開閉により掃除用スコップの収納が容易かつ清潔になる。
【図面の簡単な説明】
【図１】  ケース本体とホルダーの斜視図である。
【図２】  実施例を示したケースの断面図である。
【図３】  ケースの平面図である。
【符号の説明】
１  袋
２  ホルダー
３  ケース本体
４  掃除用スコップ
【図１】
0003105818.tif 000003
【図２】
0003105818.tif 000004
【図３】
0003105818.tif 000005
【手続補正書】
【提出日】平成16年6月25日(2004.6.25)
【手続補正１】
【補正対象書類名】実用新案登録請求の範囲
【補正対象項目名】全文
【補正方法】変更
【補正の内容】
【実用新案登録請求の範囲】
【請求項１】
汚物を回収する袋１の上部折り返し部分に、止め具となるホルダー２を挟み込んで本体ケース３にセットすることで、糞尿処理が容易になるケース。
(57)【要約】      （修正有）【課題】日傘を左右に動く様に作れば日照りの方角に傘を向ける事が出来、日焼けを防ぐ事が出来、強い西日にも対応が出来る。【解決手段】傘取付具取付台から傘取付軸を分離して傘取付軸が左右に動く様に作り変える。【効果】日照の角度に対応出来、西日などの強烈な光などから身を守る事ができる。操作も容易であり、雨傘の場合も傘同士の行き違いにも左右に振る事ができ、非常に便利であり傘同士のぶつかり合いが防げる。【選択図】なし【実用新案登録請求の範囲】
【請求項１】
傘取付具取付台（実用新案登録第３１００３７７号）の傘取付具取付用軸の部分を傘取付具取付台から分離、取外し（側面図参照）Ａ部とＢ部に分割Ａ部の分割面に折り曲げ、穴明き加工を行いＢ部分割面ボルトを取り付けＯＰ線で接続、まずボルトにＲ止めを取り付けＡ部の穴にボルトを差し込みボルトにばねを通しナットを付ける。Ａ部は従来通り自転車のハンドル部に取り付けて固定しＢ部取付軸に傘取付具を従来通り取り付けて固定する。傘取付具を持って左右に動かすと、傘取付軸のボルトを中心にＯＰ分割点を境に左右に動くのでナットを締めながらばねの効き具合を確かめ動きを調整固定する。この傘取付具を日傘台と称す。この左右回転軸中心に左右に動く装備装置。
【考案の詳細な説明】
【考案の詳細な説明】
【技術分野】
【０００１】  本考案は傘取付具が左右に動くような機能を工作する事である。
【背景技術】
【０００２】  従来の技術は傘取付具を前後に動かすことは可能であったが、左右に動かす事が出来なかった。上から降る雨と違って日照りは左右からもあり強い西日など対応が出来なかった。
【考案が解決しようとする課題】
【０００３】  日傘を取り付けた場合傘取付軸が左右に動くような機能を工作する。
【課題を解決するための手段】
【０００４】  傘取付具取付台（実用新案登録第３１００３７７）の場合、傘取付軸を傘取付台から分離させ、傘取付軸を左右に動く様に作り変える事である。
【考案を実施するための最良の形態】
【０００５】  考案の実施の形態について図面を参照に説明する。材料は金属加工でもプラスティック類の成型加工でも日傘台に耐えられるものであるならばよい。図１は正面図である。図２は裏面図である。図３は側面図である。図は仮に金属に依る加工図であり、傘取付具取付台（実用新案登録第３１００３７７）からの加工図である。
【実施例】
【０００６】  実施例も図面を参照に説朋する。図中１は傘取付具取付台（実用新案登録第３１００３７７）取付軸である。ＡＢを基点に左右に動かすことが出来る。図中２は加工された傘取付具取付台である。図中３はスプリングである。図中４はボルト５はナット６はワッシャー７はＲ止め具８は傘取付具である。
【考案の効果】
【０００７】  日照の角度に対応が出来、西日などの強烈な光などからみを守る事が出来る。女性には雨水よりも大事と言える。操作も安易であり、雨傘の場合も傘同士の行き違いにも左右に振る事が出来非常に便利であり傘同士のぶつかり合いが防げる。
【図面の簡単な説明】
【図１】  正面図
【図２】  裏面図
【図３】  側面図
【符号の説明】
１．  傘取付具取付用軸
２．  傘取付具取付台（実用新案登録第３１００３７７）
３．  スプリング
４．  ボルト
５．  ナット
６．  ワッシャー
７．  Ｒ止め具
８．  市販中傘取付具（実用新案登録番号平５−５９９１７）
【図１】
0003105817.tif 000002
【図２】
0003105817.tif 000003
【図３】
0003105817.tif 000004
【手続補正書】
【提出日】平成16年6月24日(2004.6.24)
【手続補正１】
【補正対象書類名】実用新案登録請求の範囲
【補正対象項目名】全文
【補正方法】変更
【補正の内容】
【実用新案登録請求の範囲】
【請求項１】
自転車のハンドルに傘を取り付けるための傘台であって、
前記自転車のハンドルに固定される傘取付具取付台と、
前記傘取付具取付台にボルトを軸として回動可能に取り付けられた傘取付具取付用軸と、
前記傘取付具取付用軸に支持され、傘を取り付ける為の傘取付具と、を備え、
前記傘取付具取付用台と前記傘取付具取付用軸とは、前記ボルトが貫通するスプリングによって互いに押圧されており、
前記傘取付具取付用軸の回動軸の前記傘取付具取付台に対する向きは、前記傘取付具取付台を前記ハンドルに固定したときに前記自転車の前後方向になるように定められており、それにより前記傘取付具に取り付けられた傘を前記自転車の左右に傾斜させることを可能にした傘台。
(57)【要約】      （修正有）【課題】空気洗浄機付照明具を提供する。【解決手段】丸形蛍光灯の中央部に空気洗浄機を装着する。【選択図】なし【実用新案登録請求の範囲】
【請求項１】
家庭用照明器具は丸型蛍光灯が多く使用されている。
其の丸型蛍光灯の中央部に空気清浄機を装着する。
【考案の詳細な説明】
【考案が解決しようとする課題】
通常の家庭は空気清浄機はお部屋の片隅に置いてあり効果も薄く邪魔な様に思える。
【課題を解決するための手段】
【０００２】空気清浄機と照明器具が合体する事によって空気清浄機の設置場所も移動し器具の制作費も格安にできる。
【考案の効果】
【０００３】従来の空気清浄機はお部屋の片隅に設置され効果はほんの一部考案の空気清浄機付照明器具は通常の家庭ではお部屋の中央部天井に設置されるのが常識で食卓で人の動きで発生する『ホコリ』やタバコの煙はスムーズに天井中央の吸入口に吸い込まれ清浄された空気は照明器具上部排気口からお部屋に戻され循環する。
【図面の簡単な説明】
【図１】照明器具の正面図である。
【符号の説明】
空気清浄機の装着部分。
0003105814.tif 000002
【手続補正書】
【提出日】平成16年4月1日(2004.4.1)
【手続補正１】
【補正対象書類名】実用新案登録請求の範囲
【補正対象項目名】全文
【補正方法】変更
【補正の内容】
【実用新案登録請求の範囲】
【請求項１】
『空気清浄機付照明器具』
『丸型蛍光灯の中央部に空気清浄機を装着した空気清浄機付照明器具』
【手続補正２】
【補正対象書類名】図面
【補正対象項目名】全図
【補正方法】変更
【補正の内容】
【図１】
0003105814.tif 000003
【図２】
0003105814.tif 000004
【手続補正３】
【補正対象書類名】明細書
【補正対象項目名】全文
【補正方法】変更
【補正の内容】
【考案の詳細な説明】
『丸型蛍光灯の中央部に空気清浄機を装着した空気清浄機付照明器具』
（１）から汚れた空気を吸収し（２）から清浄された空気を排出し循環する。
【手続補正書】
【提出日】平成16年6月23日(2004.6.23)
【手続補正１】
【補正対象書類名】実用新案登録請求の範囲
【補正対象項目名】全文
【補正方法】変更
【補正の内容】
【実用新案登録請求の範囲】
【請求項１】
『丸型蛍光灯の中央部に空気清浄機を装着した空気清浄機付照明器具』
【手続補正２】
【補正対象書類名】明細書
【補正対象項目名】全文
【補正方法】変更
【補正の内容】
【考案の詳細な説明】
【考案が解決しようとする課題】
【０００１】従来の空気清浄機はお部屋の片隅に設置され効率が悪い、考案の空気清浄機は天井中央部に設置され空気の循環が良く環境に優しい。
【課題を解決するための手段】
【０００２】この空気清浄機付照明器具はお部屋の天井中央部に設置するのでお部屋が効率よく使える。
【考案の効果】
【０００３】考案の空気清浄機付照明器具はお部屋の天井中央部に設置するのでタバコの煙やホコリを天井中央部に吸い込み、清浄された空気は上部から俳出し循環する、又清浄機のファン作動で冷却が働き照明器具がながもちする。
【図面の簡単な説明】
【０００４】
【図１】    正面図
【図２】    側面図
【符号の説明】
【０００５】正面図  １は空気清浄機  ２はカバー  ３は蛍光灯  側面図の  １は吸入口  ２は排気口  ３は蛍光灯
0003105814.tif 000005
(57)【要約】      （修正有）【課題】血液の流れを促進し、疾病、痛み、コリを改善する。【解決手段】１本の銅線からなり、形状として円弧からなる一筆書きを形成している円弧の数、大きさ、太さは特に限定されるものではなく少なくとも２個以上であればよい。この円弧の開始点が３で４は終点である。素子の数は必要に応じて増やしたり、装着部位も１ヶ所とは限らない。【選択図】図１
0003105828.tif 000002
【実用新案登録請求の範囲】
【請求項１】
１本の銅線からなり形状として複数の円弧から成る一筆書きを形成している素子
【請求項２】
【考案の詳細な説明】
【技術分野】
【０００１】本考案は体の状態を改善する為の素子に関する
【背景技術】
【０００２】プラズマ療法というのがあるがそれは銅線をコイル状にして電気を流し体に照射するが今回の素子に関しては全く違い、電気を必要とせず、コイル状ではなく円弧状であり体に装着する。
【考案の開示】
【考案が解決しようとする課題】
【０００３】銅線をコイル状にした物に電気を流す物は体に対する共鳴力が弱く又、電源が必要であった。
【課題を解決する為の手段】
１本の銅線からなり形状として円弧から成る一筆書きを形成している素子
【考案の効果】
この銅線は電気をながさなくとも共振するコイルの役目をしていて空気中にあるエネルギーを体に取り入れてエネルギーの（体と銅線で）共振状態をおこす
その共振状態のエネルギーが体内の７０％の水分と血液中の鉄分であるヘモグロビンと共鳴し電磁誘導をおこし、流れを促進させる。その為、体の中は磁化作用を起こす。銅は体をイオン化させる事により血管が拡がり体液が流れ出す、従って流れがよくなる為、熱発散をおこす。
体液の流れがよくなる事は血液中に酸素を供給する為、とどこおって乳酸化した体酸（血液を含む）が流れ出す。
その事によりその部位のコリがほぐれ痛みがとれる、又血液の流れがよくなる事はその装着した部位の温もりと全体のホルモンバランスを改善する事にもつながる。
【考案を実施するためのの最良の形態】
（イ）図１に本考案の素子の代表例を示す
図１において
▲１▼  １本の銅線からなり一筆書きの態様を示し大きさ、太さはこれに限定されない
所請、銅板をエッティングしてパターン状に形成された物メッキによりパターン状に形成されたもの等、通常の電気回路形成に用いられる手段により、形成される全てを含むものである
▲２▼  その銅線からなる円弧の態様の代表例を示している
円弧の数、大きさ、太さは特に限定されるものではなく少なくとも２個以上であればよい
▲３▼  この円弧は一筆書きからなり、その開始点が▲３▼で▲４▼は終点である。
以上
実施に際しては素子を患部に装着する
例えば痛みコリ、疾病のある部位
素子の数は必要に応じて増やしたり、装着部位も１ケ処とは限らない
【実施例】  第１表に示す
（第１表）実施例
0003105828.tif 000003
【図１】
0003105828.tif 000004
【手続補正書】
【提出日】平成16年7月29日(2004.7.29)
【手続補正１】
【補正対象書類名】実用新案登録請求の範囲
【補正対象項目名】全文
【補正方法】変更
【補正の内容】
【実用新案登録請求の範囲】
【請求項１】
１本の銅線からなり形状として複数の円弧から成る一筆書きを形成している素子
【手続補正２】
【補正対象書類名】明細書
【補正対象項目名】全文
【補正方法】変更
【補正の内容】
【考案の詳細な説明】
【技術分野】
【０００１】本考案は体の状態を改善する為の素子に関する
【背景技術】
【０００２】プラズマ療法というのがあるがそれは銅線をコイル状にして電気を流し体に照射するが今回の素子に関しては全く違い、電気を必要とせず、コイル状ではなく円弧状であり体に装着する。
【考案の開示】
【考案が解決しようとする課題】
【０００３】銅線をコイル状にした物に電気を流す物は体に対する共鳴力が弱く又、電源が必要であった。
【課題を解決する為の手段】
１本の銅線からなり形状として円弧から成る一筆書きを形成している素子
【考案の効果】
この銅線は電気をながさなくとも共振するコイルの役目をしていて空気中にあるエネルギーを体に取り入れてエネルギーの（体と銅線で）共振状態をおこす
その共振状態のエネルギーが体内の７０％の水分と血液中の鉄分であるヘモグロビンと共鳴し電磁誘導をおこし、流れを促進させる。その為、体の中は磁化作用を起こす。銅は体をイオン化させる事により血管が拡がり体液が流れ出す、従って流れがよくなる為、熱発散をおこす。
体液の流れがよくなる事は血液中に酸素を供給する為、とどこおって乳酸化した体酸（血液を含む）が流れ出す。
その事によりその部位のコリがほぐれ痛みがとれる、又血液の流れがよくなる事はその装着した部位の温もりと全体のホルモンバランスを改善する事にもつながる。
【考案を実施するための最良の形態】（イ）図１に本考案の素子の代表例を示す
図１において
▲１▼  １本の銅線からなり一筆書きの態様を示し大きさ、太さはこれに限定されない
所請、銅板をエッティングしてパターン状に形成された物
メッキによりパターン状に形成されたもの等、通常の電気回路形成に用いられる手段により、形成される全てを含むものである
▲２▼  その銅線からなる円弧の態様の代表例を示している
円弧の数、大きさ、太さは特に限定されるものではなく少なくとも２個以上であればよい
▲３▼  この円弧は一筆書きからなり、その開始点が▲３▼で▲４▼は終点である。
以上
実施に際しては素子を患部に装着する
例えば痛みコリ、疾病のある部位
素子の数は必要に応じて増やしたり、装着部位も１ケ処とは限らない
【実施例】第１表に示す
0003105828.tif 000005
【図面の簡単な説明】
【図１】１本の銅線からなる形状として円弧からなる一筆書きを形成している。
【符号の説明】
１．銅線
２．円弧形状
３．銅線の始点
４．銅線の終点
【手続補正３】
【補正対象書類名】図面
【補正対象項目名】全図
【補正方法】変更
【補正の内容】
【図１】
0003105828.tif 000006
(57)【要約】      （修正有）【課題】車椅子や手押し車のスムースな段差乗り越えとクッションによる衝撃防止となる幅広の前輪自由車輪を提供する。【解決手段】回転軸１を本体とし，主車輪２の両横前方で主車輪２より少し上に補助車輪３を取付ける。又，回転軸本体１から出たアーム６先端と車輪取付け金具５をガススプリング８で連結する。【効果】前進する車輪が段差に来た時，先ず補助車輪が段差に当たり，自由車本体を段差と直交する位置にしてから乗り上がる。この時，主車輪は重量を受けなく，補助車輪が上がった位置から主車輪が乗り上がる。又，段差に当たった時に衝撃を少なくする為にクッションを利用して乗り越える。従って，車椅子等で走行時に小さな段差から大きな段差を前進力のみでスムースに乗り越える事が出来る。【選択図】図１
0003105824.tif 000002
【実用新案登録請求の範囲】
【請求項１】
（イ）自走行又は，運搬用の前車輪に於て，段差の乗り上がりをスムースにする為の前車輪で有る．
（ロ）回転軸（１）の支点軸を基準とする自由車輪である．
（ハ）本車輪は，主車輪（２）１個の両横に段差を付けた補助車輪（３）２個で構成されている．
【請求項２】
（イ）主車輪（２）が当たった時の衝撃を和らげる為のクッション（４）装置を保有する請求項１記載の前車輪である．
【考案の詳細な説明】
【考案の詳細な説明】
【技術分野】
【０００１】この考案は，前車輪に於ての段差乗り越えをスムースに行い，段差に当たった時の衝撃を和らげる自由車輪である．
【背景技術】
【０００２】現在使用されている車椅子や搬送車等の前輪は，段差を想定されておらず，段差を越える時には，前車輪を浮かす必要が有る．
現在販売されている自由車輪には，クッション衝撃を和らげる物が有るが段差を越える為の物では無い．
【考案が解決しようとする課題】
【０００３】現在の欠点
（イ）車椅子等で段差が有る場合，避けて遠回りをしなければ為らない．
（ロ）強引に前進すると，力も必要と共に座席が揺れる．
（ハ）車幅が狭い為，溝（側溝や踏み切りのレール）にはまり込みやすい．
（ニ）はまり込んだら出られない．（介護人が必要となる．）
この考案は，以上の欠点を解決するために考案されたものである．
【課題を解決するための手段】
【０００４】回転軸（１）を本体とし，主車輪（２）の両横前方で主車輪（２）より少し上に補助車輪（３）を取付ける．
又，回転軸本体（１）から出たアーム（６）先端と車輪取付け金具（５）をガススプリング（８）で連結する．以上で構成された自由車輪である．
【考案を実施するための最良の形態】
【０００５】以下，この考案の実施の形態を図面に基づいて説明する．
回転軸（１）の支点軸を基準とする本体に支点ピン（４）で支持された車輪取付け金具（５）を有する．この車輪取付け金具（５）の中央に主車輪（２）を取付け，両外に補助車輪（３）を主車輪（２）の設置面より高い位置で前方に取付ける．
回転軸（１）に固定されたアーム（６）の先端を支点（７）として車輪取付け金具（５）とを，ガススプリング（８）で連結する．
【考案の効果】
【０００６】前進する車輪が段差に来た時，先ず補助車輪が段差に当たり，自由車本体を段差と直交する位置にしてから乗り上がる．この時，主車輪（２）は重量を受けなく，補助車輪（３）が上がった位置から主車輪（２）が乗り上がる．
又，段差に当たった時に衝撃を少なくする為にクッションを利用して乗り越える．
従って，車椅子等で走行時に小さな段差から大きな段差を前進力のみでスムースに乗り越える事が出来る．
補助車輪が付く為車輪幅が広くなり側溝や，踏み切りのレール溝に車輪が落ち込まない．
【図面の簡単な説明】
【図１】本考案の三角法による正面図と側面図
【図２】本考案の実施形態側面図
【図３】本考案の実施形態側面図
【符合の説明】
１  回転軸
２  主車輪
３  補助車輪
４  支点ピン
５  車輪取付け金具
６  アーム
７  支点
８  ガススプリング
【図１】
0003105824.tif 000003
【図２】
0003105824.tif 000004
【図３】
0003105824.tif 000005
【手続補正書】
【提出日】平成16年6月29日(2004.6.29)
【手続補正２】
【補正対象書類名】実用新案登録請求の範囲
【補正対象項目名】全文
【補正方法】変更
【補正の内容】
【実用新案登録請求の範囲】
【請求項１】
自走行や運搬台車の自由車輪において，回転軸より偏芯した位置に主車輪を設け主車輪の前方に補助車輪を左右に設けられていることを特長とする段差乗り越え車輪。
【請求項２】
主車輪又は補助車輪が段差に当たった時の衝撃を和らげる為のクッション装置を保有する請求項１記載の段差乗り越え車輪。